(57)【要約】【課題】  開封時に歯間ブラシを散乱させずに１本だけ取り出すことが容易であり、未使用の歯間ブラシを整然と衛生的に収容し得る歯間ブラシの包装容器を提供を提供する。【解決手段】  透明樹脂製のブリスターシート４と、その背面側に重ねられる背面側シート（台紙）５とを具備し、ブリスターシート４には歯間ブラシ２を並列状態で収容し得るブリスタードーム４５が形成される。歯間ブラシ２のハンドル２１の後端位置に沿って窓孔４７が形成されるとともに、窓孔４７を開閉自在に覆う蓋部６が、ブリスターシート４の一辺縁部４２に沿って設けられる。蓋部６を開き、窓孔４７から歯間ブラシ２のハンドル２１を摘んで抜き出し、抜き出した後に蓋部６を閉じて、未使用の歯間ブラシ２を衛生的に保管しておくことができる。【選択図】  図３
2013233976.tif 000002
【特許請求の範囲】
【請求項１】
複数本の歯間ブラシを収容し得るブリスタードームが正面側に膨出されてなるブリスターシートと、前記ブリスターシートの背面側に重ね合わせられる台紙と、を具備する歯間ブラシの包装容器において、
前記ブリスターシートには歯間ブラシを並列状態で収容し得る形状のブリスタードームが形成されて、該ブリスタードームに並列される歯間ブラシのハンドルの後端位置に沿って窓孔が形成されるとともに、
該窓孔を開閉自在に覆う蓋部が設けられたことを特徴とする歯間ブラシの包装容器。
【請求項２】
請求項１に記載の歯間ブラシの包装容器において、
前記蓋部は、前記ブリスターシートと同質の材料によって前記ブリスターシートと一辺縁部を共有するように一体成形され、該一辺縁部を折曲させることにより前記蓋部が前記窓孔の正面側に重ね合わせられることを特徴とする歯間ブラシの包装容器。
【請求項３】
請求項２に記載の歯間ブラシの包装容器において、
前記蓋部と前記ブリスターシートとの重ね合わせ部分の両端にアンダーカット嵌合部が設けられたことを特徴とする歯間ブラシの包装容器。
【請求項４】
請求項１、２または３に記載の歯間ブラシの包装容器において、
前記台紙が、前記ブリスターシートと同質の材料によって前記ブリスターシートと他辺縁部を共有するように一体成形され、該他辺縁部を折曲させることにより前記台紙が前記ブリスターシートの背面側に重ね合わせられることを特徴とする歯間ブラシの包装容器。
【請求項５】
請求項４に記載の歯間ブラシの包装容器において、
前記台紙と前記ブリスターシートとの重ね合わせ部分の隅部にアンダーカット嵌合部が設けられたことを特徴とする歯間ブラシの包装容器。
【請求項６】
請求項１〜５のいずれか１項に記載の歯間ブラシの包装容器において、
該包装容器全体が正面視縦長形状をなし、その上部近傍に吊下孔が形成されたことを特徴とする歯間ブラシの包装容器。
【請求項７】
請求項６に記載の歯間ブラシの包装容器において、
該包装容器の正面視右辺縁部に沿って前記蓋部が設けられるとともに、
前記ブリスタードーム及び前記窓孔は、前記蓋部を右側に開いて歯間ブラシを右斜め上向きに抜き出すことができるように成形されたことを特徴とする歯間ブラシの包装容器。
【請求項８】
請求項１〜７のいずれか一項に記載の歯間ブラシの包装容器において、
前記蓋部が、前記ブリスターシートの一辺縁部に沿って複数の部分に分割され、該分割された各部分が個々に開閉自在となるように形成されたことを特徴とする歯間ブラシの包装容器。
【発明の詳細な説明】
【技術分野】
【０００１】
本発明は、複数本の歯間ブラシを並べて収容した状態で販売に供される歯間ブラシ用の包装容器に関する。
【背景技術】
【０００２】
歯間ブラシは通常、数本ないし十数本程度まとめて包装され、薬局やスーパー等の店頭で陳列販売されている。その種の包装容器としては、ブラシの大きさや毛先形状がわかりやすく、衛生的で、フック什器に吊り下げて陳列するにも都合のよいブリスター容器が広く利用されている。
【０００３】
一般的なブリスター容器は、内容物の形状に合致するブリスタードームを正面側に膨出させた透明樹脂製のシート（ブリスターシート）と、その背面側に重ねられてブリスタードームの開口を塞ぐ台紙とから構成される。ブリスターシートは、例えばＰＥＴ（ポリエチレンテレフタレート）、あるいはＰＶＣ（ポリ塩化ビニル）やＰＳ（ポリスチレン）等の透明樹脂からなるシート材料を、通常は真空成形することによって製造される。ブリスターシートと台紙とを重ね合わせる形態については、
（１）別々に形成したブリスターシートと台紙とを熱圧着させてブリスタードームを密閉する一般的なブリスターパック
（２）ブリスターシートの周縁二方ないし四方に数ミリ幅の折り曲げ加工を施し、その折曲部分に沿って台紙を挿し込む、いわゆるスライドブリスター
（３）ブリスターシートと、台紙に相当する背面側シートとを同じ透明樹脂材料によって一体的に成形し、それらを二つ折りにして重ね合わせるシェルパック（クラムシェル）
等の形態がある。
【０００４】
特許文献１には、複数本の歯間ブラシを前記（１）のブリスターパックに並列的に収容した形態が例示されている。
【先行技術文献】
【特許文献】
【０００５】
【特許文献１】特開２００２−２７８８公報
【発明の概要】
【発明が解決しようとする課題】
【０００６】
前記（１）〜（３）のいずれの形態においても、ブリスター容器を開封して収容物を取り出すには、ブリスターシートと台紙とを分離する必要がある。歯間ブラシ用のブリスター容器の多くは、歯間ブラシを収容するためのブリスタードームが１本分ずつ完全に区画されてはおらず、複数本分の収容空間が一体的に連通するように成形されている。そのため、ブリスタードーム内に並べて収容された歯間ブラシが開封時のはずみでブリスタードームから飛び出し、周囲に散乱してしまうことがしばしばある。
【０００７】
さらに、前記（１）の形態に係るブリスターパックでは、ブリスターシートから台紙を剥がすときに、台紙が層状に剥がれながら不規則な形状に破れてしまうことが多い。このため、歯間ブラシの取り出しが困難になるとともに、歯間ブラシを１本しか使用しない場合でも複数本分の範囲まで破れて、残りの歯間ブラシを衛生的に保管したり携帯したりできなくなってしまう。ブリスタードームが１本分ずつ区画されるように成形された特許文献１記載のブリスターパックであっても、台紙全体が不規則に破れることによる不便は同様に発生する。
【０００８】
本発明は前述のような事情に鑑みてなされたものであって、開封時に歯間ブラシを散乱させることなく、１本だけを容易に取り出すことができるとともに、未使用の歯間ブラシを整然と、かつ衛生的に収容しておくことのできる歯間ブラシの包装容器を提供するものである。
【課題を解決するための手段】
【０００９】
前述の目的を達成するため、本発明の歯間ブラシの包装容器は、複数本の歯間ブラシを収容し得るブリスタードームが正面側に膨出されてなるブリスターシートと、前記ブリスターシートの背面側に重ね合わせられる台紙と、を具備する歯間ブラシの包装容器において、前記ブリスターシートには歯間ブラシを並列状態で収容し得る形状のブリスタードームが形成されて、該ブリスタードームに並列される歯間ブラシのハンドルの後端位置に沿って窓孔が形成されるとともに、該窓孔を開閉自在に覆う蓋部が設けられた、との基本的構成を採用する。
【００１０】
この基本的構成によれば、開閉自在の蓋部を開き、窓孔から歯間ブラシのハンドルを摘んで抜き出し、抜き出した後に蓋部を閉じて、未使用の歯間ブラシを衛生的に保管しておく、という使い方が可能になる。ここで「並列状態」とは、複数本の歯間ブラシが、向きを揃え、ブラシの先端及びハンドルの後端を一列に並べて、互いに平行に、かつ近接して配置された状態を意味する。そのような並列状態でブリスタードーム内に収容される歯間ブラシのハンドルの後端位置に沿って窓孔が形成されることにより、その窓孔から、ハンドルの後端を摘んで歯間ブラシを１本ずつ容易に抜き出すことができる。
【００１１】
前記蓋部は、前記ブリスターシートと同質の材料によって前記ブリスターシートと一辺縁部を共有するように一体成形され、該一辺縁部を折曲させることにより前記蓋部が前記窓孔の正面側に重ね合わせられるように構成することができる。かかる構成によれば、ブリスターシートと蓋部とを経済的に、かつ意匠的にすっきりと美しく成形することができるとともに、蓋部の開閉に伴う形状や寸法精度も安定する。
【００１２】
さらに、前記蓋部と前記ブリスターシートとの重ね合わせ部分の両端にアンダーカット嵌合部が設けられる構成を採用すれば、該アンダーカット嵌合部を相互に嵌合させることにより、蓋部を閉じた状態が適度な強度をもって好適に保持されることとなるので、未使用の歯間ブラシの散乱や汚損も防ぎやすくなる。
【００１３】
また、蓋部と同様に前記台紙も、前記ブリスターシートと同質の材料によって前記ブリスターシートと他辺縁部を共有するように一体成形され、該他辺縁部を折曲させることにより前記台紙が前記ブリスターシートの背面側に重ね合わせられるように構成されるのが好ましい。かかる構成によれば、ブリスターシートと台紙とを経済的に、かつ意匠的にすっきりと美しく成形することができる。
【００１４】
さらに、前記台紙と前記ブリスターシートとの重ね合わせ部分の隅部にアンダーカット嵌合部が設けられる構成を採用すれば、ブリスターシートと台紙との間に歯間ブラシを並べて該アンダーカット嵌合部を相互に嵌合させることにより、歯間ブラシを効率的に、かつ適度な強度をもたせて包装することができる。
【００１５】
前記包装容器全体は正面視縦長形状をなし、その上部近傍に吊下孔が形成されるのが好ましい。この構成によれば。包装容器をフック什器に吊り下げて効率的に陳列することができる。
【００１６】
そして、正面視縦長形状をなす該包装容器にあっては、その正面視右辺縁部に沿って前記蓋部が設けられるとともに、前記ブリスタードーム及び前記窓孔が、前記蓋部を右側に開いて歯間ブラシを右斜め上向きに抜き出すことができるように成形されるのが好ましい。この構成によれば、歯間ブラシがハンドルの後端を右上に向けた姿勢で収容されるので、歯間ブラシのハンドルの後端を右手で摘んで１本ずつ抜き出すのが容易になるとともに、蓋部が開いた状態でも、歯間ブラシが窓孔から脱落するおそれが少ない。また、ブリスタードーム内に並列された歯間ブラシのうち何本かを抜き出しても、残りの歯間ブラシが整然と並んだ状態に保持される。さらに、歯間ブラシを戻すときにも、歯間ブラシの先端をブリスタードーム内にある程度差し入れると、後は自然にブリスタードーム内に滑り込ませることができるので扱いやすい。
【００１７】
また、前記蓋部が、前記ブリスターシートの一辺縁部に沿って複数の部分に分割され、該分割された各部分が個々に開閉自在となるように形成されてもよい。この構成によれば、歯間ブラシを抜き出す際の開口面積が限定されるので、未使用の歯間ブラシを、より衛生的に保管することができる。
【発明の効果】
【００１８】
前述のように構成される本発明の歯間ブラシの包装容器によれば、開閉自在の蓋部を開いて、ブリスターシートに形成された窓孔から歯間ブラシを１本ずつ、ハンドルの後端を摘んで容易に抜き出すことができ、その際に歯間ブラシが散乱するのも防止することができる。また、不使用時には蓋部を閉じて、未使用の歯間ブラシを整然と衛生的に保管しておくことができ、その携帯も容易になる。
【図面の簡単な説明】
【００１９】
【図１】本発明の第１の実施の形態に係る歯間ブラシの包装容器の正面図である。
【図２】前記包装容器の蓋部を閉じた状態を示す斜視図である。
【図３】前記包装容器の蓋部を開いて、歯間ブラシを抜き出す状態を示す斜視図である。
【図４】前記包装容器の展開図である。
【図５】本発明の第２の実施の形態に係る歯間ブラシの包装容器の正面図である。
【発明を実施するための形態】
【００２０】
以下、本発明の実施の形態について、図を参照しつつ説明する。
【００２１】
［第１の実施の形態］
図１〜図４は本発明の第１の実施の形態を示す。この包装容器１は、容器全体の正面形状が縦長の角丸長方形状をなし、１５本の歯間ブラシ２と１本の付替ホルダ３とを収容し得るように構成されている。
【００２２】
歯間ブラシ２は、ポリプロピレン樹脂等からなるハンドル２１と、その先端に突設されたブラシ部２２とを有する。ブラシ部２２は、二つ折りにした金属線材の撚り合わせ部分にナイロン等からなるブラシ毛を挟み込んだ撚り線ブラシであって、撚り線ブラシの基部が、ハンドル２１と一直線状になるようにして、略円錐状のハンドルネック２３に埋め込み成形されている。ハンドル２１の中間部分には、やや細径の可撓変形部２４が設けられている。
【００２３】
付替ホルダ３は、歯間ブラシ２のハンドル２１よりも僅かに太径の片底円筒状部材で、ハンドル２１の後端側に嵌装してハンドル２１を持ちやすくしたり、あるいはハンドルネック２３側に被せてブラシ部２２を保護したりする際に利用される。
【００２４】
ただし、本発明において、歯間ブラシ２や付替ホルダ３の詳細な形状はとくに限定されない。例えば、歯間ブラシ２は、ブラシ部２２とハンドル２１とが軟質樹脂によって一体成形されているタイプのものでもよいし、ハンドルネック２３が屈折してブラシ部２２がハンドル２１に対し横向きに突設されているタイプのものでもよい。
【００２５】
（包装容器の全体的構成）
包装容器１は、その正面部分を構成するブリスターシート４と、台紙に相当する背面側シート５と、ブリスターシート４に設けられた蓋部６とを具備する。この実施の形態は、それらブリスターシート４、背面側シート５及び蓋部６が、同一の透明樹脂製シート材料により一体的に成形されて重ね合わせられる、いわゆるシェルパックである。
【００２６】
すなわち、成形時の展開形態を図４に示すように、ほぼ同じ外形を有するブリスターシート４と背面側シート５とが、それぞれのひとつの短辺縁部４１を共有して連続し、また、ブリスターシート４とそれよりも細幅の蓋部６とが、それぞれのひとつの長辺縁部４２を共有して連続し、全体で一枚となるように成形される。そして、背面側シート５が、短辺縁部４１を折曲してブリスターシート４の裏側に重ねられ、蓋部６が、長辺縁部４２を折曲してブリスターシート４の表側に重ねられる。
【００２７】
また、ブリスターシート４と背面側シート５との間には、それらよりもひと回り小さい平坦な中紙７が挟み込まれる。中紙７の表裏両面には商品説明等が適宜、印刷される。
【００２８】
（ブリスターシート）
ブリスターシート４には、その周縁部を囲む平坦なフランジ４３と、フランジ４３の内側から略一様の高さで膨出する段部４４と、段部４４の内側からさらに膨出するブリスタードーム４５とが形成されている。段部４４は、数ミリ程度の高さでフランジ４３の正面側に膨出しており、その四隅は正面視略半円形状に形成されて、該半円形部分の側面はフランジ４３側よりも段部４４の表面側が僅かに外方に張り出すアンダーカット（逆抜き勾配）になっている。正面視上側（短辺縁部４１の反対側）のフランジ４３は、その幅がやや広くなっていて、該広幅部分の中央付近に円形の吊下孔４３１が形成されている。この吊下孔４３１はフック什器（図示せず）への陳列等に利用される。
【００２９】
ブリスタードーム４５は、歯間ブラシ収容ドーム４５１と、付替ホルダ収容ドーム４５６とを有している。歯間ブラシ収容ドーム４５１は、１５本の歯間ブラシ２を、正面から見てブラシ部２２が左下になる姿勢で上下方向に並列させ得るように形成されている。歯間ブラシ収容ドーム４５１内の空間は、浅い凹凸によって歯間ブラシ２１本分ずつの収容スペースに分割されてはいるが、凹凸の高さは歯間ブラシ２のハンドル２１の太さの半分程度で、歯間ブラシ１本分ずつの収容スペースは完全には区画されておらず、１５本分の歯間ブラシ２の収容スペースが一体的に連通している。歯間ブラシ１本分ずつの収容スペースは、略半筒状のブラシ収容部４５２と、略半円錐状のテーパを有するハンドルネック収容部４５３と、略半筒状のハンドル収容部４５４とを組み合わせて形成されている。
【００３０】
また、付替ホルダ収容ドーム４５６は、１本の付替ホルダ３を、歯間ブラシ２と平行に収容し得るように形成されている。付替ホルダ収容ドーム４５６と歯間ブラシ収容ドーム４５１とは、段部の細幅部分４４１を隔てて互いに区画されている。
【００３１】
ハンドル収容部４５４及び付替ホルダ収容ドーム４５６の正面から見て右側には、それらよりもさらに高く膨出する窓枠部４６が形成されている。窓枠部４６の高さは一様で、その平坦な天面が縦方向に一定幅で真っ直ぐに延びており、該天面の右端が窓孔４７によって切断されている。
【００３２】
窓孔４７は、ブリスターシート４の段部４４における正面から見て右寄りの部分を、一定幅の縦長形状に切り抜いた開口部である。窓孔４７の縦方向の長さは、１５本の歯間ブラシ２及び１本の付替ホルダ３を並列させた全体の縦方向の長さよりも大きい。この窓孔４７がブリスタードーム４５の窓枠部４６の右端を切断するように形成されて、ブリスタードーム４５の内部空間が窓孔４７側に開放されている。この窓孔４７の位置は、ブリスタードーム４５内に収容される歯間ブラシ２及び付替ホルダ３の右端（ハンドル２１の後端）に沿う位置である。
【００３３】
（蓋部）
この窓孔４７を開閉するための蓋部６が、ブリスターシート４の正面から見て右側に延設され、ブリスターシート４の右側の長辺縁部４２を折曲させることにより、蓋部６が窓孔４７の正面側に重ね合わせられる。ブリスターシート４と同様に蓋部６にも、平坦なフランジ６１と、フランジ６１の内側から略一様の高さで膨出する段部６２と、段部６２の内側からさらに膨出するブリスタードーム６３とが形成されている。ただし、ブリスターシート４とは異なり、蓋部６のフランジ６１、段部６２及びブリスタードーム６３は、蓋部６の縁端で真っ直ぐ縦方向に切断されている。
【００３４】
蓋部６の段部６２は、ブリスターシート４の段部４４とほぼ同じ高さでフランジ６１の正面側に膨出しており、その上部及び下部は正面視略半円形状に形成されて、該半円形部分の側面はフランジ６１側よりも段部６２の表面側が僅かに外方に張り出すアンダーカット（逆抜き勾配）になっている。そして、蓋部６をブリスターシート４に重ねると、それらのアンダーカット部分同士が互いに嵌合して、その重なり合った状態が保持される。
【００３５】
蓋部６に形成されるブリスタードーム６３は、歯間ブラシのハンドル後端収容ドーム６３１と、付替ホルダの後端収容ドーム６３２と、窓枠押え部６４とを有している。歯間ブラシ２のハンドル後端収容ドーム６３１は、その天面が平坦で、右端が歯間ブラシ２の後端を並列状態で位置決めし得るように階段状に形成されている。窓枠押え部６４は、歯間ブラシのハンドル後端収容ドーム６３１及び付替ホルダの後端収容ドーム６３２部よりもさらに高く、窓枠部４６とほぼ同じ高さまで膨出して、一定幅の平坦な天面を縦方向に真っ直ぐ延ばしており、その天面が窓枠部４６の天面に重ねられる。これにより、窓孔４７が縦方向全体にわたって閉じられる。
【００３６】
（背面側シート）
背面側シート５は、ブリスターシート４の正面から見て下側に延設される。ブリスターシート４と同様に背面側シート５にも、その周縁部を囲む平坦なフランジ５１と、フランジ５１の内側から略一様の高さで膨出する段部５２とが形成されている。背面側シート５の段部５２は、ブリスターシート４の段部４４と同じ外形をなすように正面側に膨出し、その四隅が正面視略半円形状に形成されて、該半円形部分の側面はアンダーカット（逆抜き勾配）になっている。そして、背面側シート５とブリスターシート４とを重ね合わせると、それらのアンダーカット部分同士が互いに嵌合して、その重なり合った状態が保持される。
【００３７】
背面側シート５の段部５２には、背面側に浅く膨出する横長矩形の凹部５３が、段部の細幅部分５４を間に挟んで複数箇所に形成されている。各凹部５３の間に設けられる段部の細幅部分５４は、包装容器１全体の剛性を高める補強リブの役割をなす。
【００３８】
フランジ５１のうち、ブリスターシート４の背面側に重ねたときに上側になる部分は、その幅がやや広くなっていて、該広幅部分の中央付近には、吊下孔４３１との干渉を避けるためのＵ字状切欠部５５が形成されている。
【００３９】
（包装手順）
このような形状の包装容器１によって歯間ブラシ２を包装する手順は、概ね次のようになる。まず、ブリスターシート４の正面側に蓋部６を重ね合わせ、蓋部６とブリスターシート４のアンダーカット部分同士を嵌合させて、窓孔４７を閉じた状態にする。このとき、必要に応じて、蓋部６の窓枠押え部６４とブリスターシート４の窓枠部４６との合わせ目に、正面側からテープやシールなどを貼着してもよい。
【００４０】
蓋部６を閉じたらブリスターシート４を伏せ、ブリスタードーム４５を上向きにした姿勢で、歯間ブラシ収容ドーム４５１及び付替ホルダ収容ドーム４５６にそれぞれ、歯間ブラシ２及び付替ホルダ３を並べる。それらが並べられたら、その上に中紙７を重ねて押える。
【００４１】
さらに、背面側シート５を重ね合わせ、ブリスターシート４と背面側シート５のアンダーカット部分同士を嵌合させる。必要に応じ、ブリスターシート４のフランジ４３と背面側シート５のフランジ５１との重なり部分を接着、溶着、あるいはステープル留めするなどして、包装容器１を確実に封止する。
【００４２】
（使用方法）
こうして包装された歯間ブラシ２を使用する際には、蓋部６を開いて窓孔４７から歯間ブラシ２や付替ホルダ３を抜き出す。窓孔４７は包装容器１を正面から見て右側に開口するように設けられており、また歯間ブラシ２はハンドル２１の端部を右上にして収容されているので、右手の指先で歯間ブラシ２のハンドル２１の後端を摘んで右斜め上向きに抜き出すのが容易であり、蓋部６が開いた状態でも歯間ブラシ２の脱落を防ぎやすい。
【００４３】
通常は上段から順番に１本ずつ抜き出すが、歯間ブラシ収容ドーム４５１内が好適に区切られていれば、中段以下の任意の１本を抜き出しても差し支えない。歯間ブラシ２を包装容器内１に戻す場合でも、歯間ブラシ２の先端をブリスタードーム４５内にある程度差し入れると、後は自然にブリスタードーム４５内に滑り込ませることができるので扱いやすい。このような使い勝手により、歯間ブラシ２を散乱させずに整然と、かつ衛生的に使用することができる。
【００４４】
全ての歯間ブラシ２を使用した後には、ブリスターシート４と背面側シート５との重なり部分を剥がし、中紙７の材質が異なる場合はそれだけ分別して、包装容器１を廃棄、あるいはリサイクル処分する。
【００４５】
［第２の実施の形態］
図５は本発明の第２の実施の形態を示す。この包装容器１０は、前記第１の実施の形態と同様に、正面部分を構成するブリスターシート４と、台紙に相当する背面側シート５と、ブリスターシート４の長辺縁部４２に沿って設けられた蓋部６とを具備し、それらが同一の透明樹脂製シート材料により一体的に成形されたシェルパックである。
【００４６】
ただし、第２の実施の形態では、ブリスターシート４に形成されるブリスタードーム４５が、歯間ブラシ２を正面から見て横向きの姿勢で並列させる形状に成形されている。窓孔４７は、歯間ブラシ２のハンドル２１の後端に沿うように、ブリスターシート４の正面から見て右寄りの部分に、一定幅の縦長形状に形成されている。
【００４７】
蓋部６は、第１の実施の形態と同様にブリスターシート４の正面から見て右側に延設され、ブリスターシート４の右側の長辺縁部４２を折曲させて窓孔４７の正面側に重ね合わせられる。ただし、第２の実施の形態では、蓋部６が縦方向にわたって３つの部分（６ａ、６ｂ、６ｃ）に分割され、分割された各部分が個々に開閉自在となるように形成されている。分割された各部分（６ａ、６ｂ、６ｃ）を閉じた状態で固定するための手段としては、例えばシール、テープ、あるいは爪片や溝孔等を利用する適宜の掛着構造を利用することができる。
【００４８】
このような構成を採用すれば、歯間ブラシ２を抜き出す際の窓孔４７の開口面積が限定されるので、未使用の歯間ブラシ２を、より衛生的に保管することができる。
【００４９】
［他の実施の形態］
なお、前述した包装容器１、１０の実施の形態は一例であって、包装容器の細部の形状や蓋部の構造等については、収容される歯間ブラシの形状や本数等に応じ、あるいは陳列や販売上の事情に応じて、適宜改変されてもよい。具体的には、背面側シート（台紙）が、ブリスターシートとは別体に形成されて、ブリスターシートに接着、溶着、ステープル留め、あるいは適宜の掛着手段や嵌合手段等によって接合されてもよい。
【００５０】
蓋部を閉止状態に保持する手段についても、第１の実施の形態に示したようなアンダーカット嵌合部に限らず、例えば爪片や溝孔、ボタン、フック、粘着シート等を利用する適宜の掛着手段等を採用することができる。さらには、蓋部がブリスターシートとは別体に形成され、例えば差込式のスライド係合手段等を利用して、ブリスターシートに着脱自在に取り付けられてもよい。また、窓部の形状や位置についても、使い勝手を考慮して適宜変形されてよいし、窓部が複数箇所に分割されていてもよい。本発明は、これらの実施の形態も包含するものである。
【符号の説明】
【００５１】
１  包装容器
１０  包装容器
２  歯間ブラシ
２１  ハンドル
２２  ブラシ部
２３  ハンドルネック
２４  可撓変形部
３  付替ホルダ
４  ブリスターシート
４３  フランジ
４３１  吊下孔
４４  段部
４５  ブリスタードーム
４６  窓枠部
４７  窓孔
５  背面側シート（台紙）
５１  フランジ
５２  段部
６  蓋部
６１  フランジ
６２  段部
６３  ブリスタードーム
６４  窓枠押え部
７  中紙
【図１】
2013233976.tif 000003
【図２】
2013233976.tif 000004
【図３】
2013233976.tif 000005
【図４】
2013233976.tif 000006
【図５】
2013233976.tif 000007